(57)【要約】【課題】  前後輪のヒルホールド制動力を解除する坂道発進時、発進性能や登坂能力を向上し、シームレスな発進を実現することができる車両のヒルホールド制動力制御装置を提供すること。【解決手段】  車輪を駆動する動力源に装備された少なくとも１つのモータと、車輪の駆動スリップ検出時にモータトルクダウン制御により車輪のグリップを回復させるモータトラクション制御手段と、坂道停止時に前後輪の制動力を維持することで車両が後退するのを防止するヒルホールド制動力制御手段と、を備えた車両のヒルホールド制動力制御装置において、前記ヒルホールド制動力制御手段は、前後輪の制動力を解除する坂道発進時、駆動輪制動力を従動輪制動力より遅く解除する手段とした。【選択図】        図６
2006142902.tif 000002
【特許請求の範囲】
【請求項１】
車輪を駆動する動力源に装備された少なくとも１つのモータと、車輪の駆動スリップ検出時にモータトルクダウン制御により車輪のグリップを回復させるモータトラクション制御手段と、坂道停止時に前後輪の制動力を維持することで車両が後退するのを防止するヒルホールド制動力制御手段と、を備えた車両のヒルホールド制動力制御装置において、
前記ヒルホールド制動力制御手段は、前後輪の制動力を解除する坂道発進時、駆動輪制動力を従動輪制動力より遅く解除することを特徴とする車両のヒルホールド制動力制御装置。
【請求項２】
請求項１に記載された車両のヒルホールド制動力制御装置において、
前記ヒルホールド制動力制御手段は、前後輪の制動力を解除する坂道発進時、駆動輪制動力の低下応答性を従動輪制動力の低下応答性より遅くすることを特徴とする車両のヒルホールド制動力制御装置。
【請求項３】
請求項２に記載された車両のヒルホールド制動力制御装置において、
停止している坂道の路面勾配を検出する路面勾配検出手段を設け、
前記ヒルホールド制動力制御手段は、路面勾配が大きいほど、駆動輪制動力の低下応答性と従動輪制動力の低下応答性を共に早くすることを特徴とする車両のヒルホールド制動力制御装置。
【請求項４】
請求項３に記載された車両のヒルホールド制動力制御装置において、
前記ヒルホールド制動力制御手段は、路面勾配が大きいほど、駆動輪制動力の低下応答性と従動輪制動力の低下応答性との差を大きくすることを特徴とする車両のヒルホールド制動力制御装置。
【請求項５】
請求項１乃至４の何れか１項に記載された車両のヒルホールド制動力制御装置において、
前記モータトラクション制御手段は、駆動輪またはモータの角加速度を検出し、角加速度が設定角加速度を超えたらモータトルクダウン制御により車輪のグリップを回復させる角加速度制御を行うことを特徴とする車両のヒルホールド制動力制御装置。
【発明の詳細な説明】
【技術分野】
【０００１】
本発明は、ハイブリッド車や電気自動車等に適用され、車輪を駆動する動力源に少なくとも１つのモータが装備された車両のヒルホールド制動力制御装置に関する。
【背景技術】
【０００２】
動力源にモータが装備されたハイブリッド車では、駆動輪が駆動スリップすると、駆動スリップに合わせてモータが過回転し、モータ駆動回路に過電流が発生するため、モータ駆動回路の部品保護のためには駆動スリップを応答良く収束させる必要がある。この部品保護を目的として駆動スリップを収束させるモータトラクション制御装置は、駆動輪の回転角速度の変化率（角加速度）が所定値以上のときに駆動スリップが発生すると予測し、モータトルクを低下する構成とし、モータトルクの増加に伴って生じる駆動スリップを防止している（例えば、特許文献１参照）。
【０００３】
従来、坂道に停止して運転者がブレーキペダルからアクセルペダルに足を踏み替えた際に、ホイールシリンダにおける制動圧を維持させて車両が後退するのを防止する、いわゆるヒルホールドブレーキ制御を実行するブレーキ装置が知られている（例えば、特許文献２参照）。
【特許文献１】特開平１０−３０４５１４号公報
【特許文献２】特開平１０−１８１５７５号公報
【発明の開示】
【発明が解決しようとする課題】
【０００４】
しかしながら、上記従来のヒルホールドブレーキ制御を実行するブレーキ装置にあっては、前後輪の制動力配分が検討されておらず、前後輪の制動力を解除する坂道発進時、駆動輪制動力も従動輪制動力も同時に解除されるものであるため、急激に駆動輪の液圧をリリースしたシーンにおいては、駆動輪がスリップアップし、モータトラクション制御が開始されると、モータトルクの低下により、発進性能や登坂能力が低下してしまう。また、駆動輪制動力と従動輪制動力とがゆっくりと同時に解除されると、引きずり抵抗が大き過ぎて、シームレスな発進が確保できない、という問題がある。
【０００５】
本発明は、上記問題に着目してなされたもので、前後輪のヒルホールド制動力を解除する坂道発進時、発進性能や登坂能力を向上し、シームレスな発進を実現することができる車両のヒルホールド制動力制御装置を提供することを目的とする。
【課題を解決するための手段】
【０００６】
上記目的を達成するため、本発明における車両のヒルホールド制動力制御装置では、車輪を駆動する動力源に装備された少なくとも１つのモータと、車輪の駆動スリップ検出時にモータトルクダウン制御により車輪のグリップを回復させるモータトラクション制御手段と、坂道停止時に前後輪の制動力を維持することで車両が後退するのを防止するヒルホールド制動力制御手段と、を備えた車両のヒルホールド制動力制御装置において、
前記ヒルホールド制動力制御手段は、前後輪の制動力を解除する坂道発進時、駆動輪制動力を従動輪制動力より遅く解除することを特徴とする。
【発明の効果】
【０００７】
よって、本発明の車両のヒルホールド制動力制御装置にあっては、前後輪の制動力を解除する坂道発進時、ヒルホールド制動力制御手段において、駆動輪制動力が従動輪制動力より遅く解除される。すなわち、遅く制動力が解除される駆動輪側ではヒルホールド性を保ちつつ、かつ、早く制動力が解除される従動輪側では引き摺り抵抗を減らし、モータトルクの低下を招く駆動スリップの発生や大きな引き摺り抵抗の発生が解消される。この結果、前後輪のヒルホールド制動力を解除する坂道発進時、発進性能や登坂能力を向上し、シームレスな発進を実現することができる。
【発明を実施するための最良の形態】
【０００８】
以下、本発明の車両のヒルホールド制動力制御装置を実現する最良の形態を、図面に示す実施例１に基づいて説明する。
【実施例１】
【０００９】
まず、ハイブリッド車の駆動系構成を説明する。
図１は実施例１のモータトラクション制御装置が適用されたハイブリッド車の駆動系を示す全体システム図である。実施例１におけるハイブリッド車の駆動系は、図１に示すように、エンジンＥと、第１モータジェネレータMG1と、第２モータジェネレータMG2（モータ）と、出力スプロケットOS、動力分割機構TMと、を有する。
【００１０】
前記エンジンＥは、ガソリンエンジンやディーゼルエンジンであり、後述するエンジンコントローラ１からの制御指令に基づいて、スロットルバルブのバルブ開度等が制御される。
【００１１】
前記第１モータジェネレータMG1と第２モータジェネレータMG2は、ロータに永久磁石を埋設しステータにステータコイルが巻き付けられた同期型モータジェネレータであり、後述するモータコントローラ２からの制御指令に基づいて、パワーコントロールユニット３により作り出された三相交流を印加することによりそれぞれ独立に制御される。
前記両モータジェネレータMG1,MG2は、バッテリ４からの電力の供給を受けて回転駆動する電動機として動作することもできるし（以下、この状態を「力行」と呼ぶ）、ロータが外力により回転している場合には、ステータコイルの両端に起電力を生じさせる発電機として機能してバッテリ４を充電することもできる（以下、この状態を「回生」と呼ぶ）。
【００１２】
前記動力分割機構TMは、サンギヤSと、ピニオンPと、リングギヤRと、ピニオンキャリアPCと、を有する単純遊星歯車により構成されている。そして、単純遊星歯車の３つの回転要素（サンギヤS、リングギヤR、ピニオンキャリアPC）に対する入出力部材の連結関係について説明する。前記サンギヤSには、第１モータジェネレータMG1が連結されている。前記リングギヤRには、第２モータジェネレータMG2と出力スプロケットOSとが連結されている。前記ピニオンキャリアPCには、エンジンダンパEDを介してエンジンＥが連結されている。なお、前記出力スプロケットOSは、チェーンベルトCBや図外のディファレンシャルやドライブシャフトを介して左右前輪に連結されている。
【００１３】
上記連結関係により、図４に示す共線図上において、第１モータジェネレータMG1（サンギヤS）、エンジンＥ（プラネットキャリアPC）、第２モータジェネレータMG2及び出力スプロケットOS（リングギヤR）の順に配列され、単純遊星歯車の動的な動作を簡易的に表せる剛体レバーモデル（３つの回転数が必ず直線で結ばれる関係）を導入することができる。
ここで、「共線図」とは、差動歯車のギヤ比を考える場合、式により求める方法に代え、より簡単で分かりやすい作図により求める方法で用いられる速度線図であり、縦軸に各回転要素の回転数（回転速度）をとり、横軸に各回転要素をとり、各回転要素の間隔をサンギヤSとリングギヤRの歯数比λに基づき、(S〜PC)：(PC〜R)の長さの比を１：λになるように配置したものである。
【００１４】
次に、ハイブリッド車の制御系を説明する。
実施例１におけるハイブリッド車の制御系は、図１に示すように、エンジンコントローラ１と、モータコントローラ２と、パワーコントロールユニット３（強電ユニット）と、バッテリ４（二次電池）と、ブレーキコントローラ５と、統合コントローラ６と、を有して構成されている。
【００１５】
前記統合コントローラ６には、アクセル開度センサ７と、車速センサ８と、エンジン回転数センサ９と、第１モータジェネレータ回転数センサ１０と、第２モータジェネレータ回転数センサ１１と、から入力情報がもたらされる。なお、車速センサ８と第２モータジェネレータ回転数センサ１１は、同じ動力分割機構TMの出力回転数を検出するもであるため、車速センサ８を省略し、第２モータジェネレータ回転数センサ１１からのセンサ信号を車速信号として用いても良い。なお、モータコントローラ２からは、バッテリ４の充電状態をあらわすバッテリS.O.Cの情報がもたらされる。
【００１６】
前記ブレーキコントローラ５には、前左車輪速センサ１２と、前右車輪速センサ１３と、後左車輪速センサ１４と、後右車輪速センサ１５と、操舵角センサ１６と、マスタシリンダ圧センサ１７と、ブレーキストロークセンサ１８と、から入力情報がもたらされる。
【００１７】
前記エンジンコントローラ１は、アクセル開度センサ７からのアクセル開度APとエンジン回転数センサ９からのエンジン回転数Neを入力する統合コントローラ６からの目標エンジントルク指令等に応じ、エンジン動作点（Ne,Te）を制御する指令を、例えば、図外のスロットルバルブアクチュエータへ出力する。
【００１８】
前記モータコントローラ２は、レゾルバによる両モータジェネレータ回転数センサ１０，１１からのモータジェネレータ回転数N1,N2を入力する統合コントローラ６からの目標モータジェネレータトルク指令等に応じ、第１モータジェネレータMG1のモータ動作点（N1,T1）と、第２モータジェネレータMG2のモータ動作点（N2,T2）と、をそれぞれ独立に制御する指令をパワーコントロールユニット３へ出力する。
【００１９】
前記パワーコントロールユニット３は、より少ない電流で両モータジェネレータMG1,MG2への電力供給が可能な電源系高電圧による強電ユニットを構成するもので、図５に示すように、ジョイントボックス３ａと、昇圧コンバータ３ｂと、駆動モータ用インバータ３ｃと、発電ジェネレータ用インバータ３ｄと、コンデンサ３ｅと、を有する。前記第２モータジェネレータMG2のステータコイルには、駆動モータ用インバータ３ｃが接続される。前記第１モータジェネレータMG1のステータコイルには、発電ジェネレータ用インバータ３ｄが接続される。また、前記ジョイントボックス３ａには、力行時に放電し回生時に充電するバッテリ４が接続される。
【００２０】
前記ブレーキコントローラ５は、低μ路制動時や急制動時等において、４輪のブレーキ液圧を独立に制御するブレーキ液圧ユニット１９への制御指令によりＡＢＳ制御を行い、また、エンジンブレーキやフットブレーキによる制動時、統合コントローラ６への制御指令とブレーキ液圧ユニット１９への制御指令を出すことで回生ブレーキ協調制御を行う。さらに、坂道に停止して運転者がブレーキペダルからアクセルペダルに足を踏み替えた際に、ホイールシリンダにおける制動液圧を維持させて車両が後退するのを防止する、いわゆるヒルホールドブレーキ制御を行う。
【００２１】
このブレーキコントローラ５には、各車輪速センサ１２，１３，１４，１５からの車輪速情報や、操舵角センサ１６からの操舵角情報や、マスタシリンダ圧センサ１７やブレーキストロークセンサ１８からの制動操作量情報が入力される。そして、これらの入力情報に基づいて、所定の演算処理を実行し、その処理結果による制御指令を統合コントローラ６とブレーキ液圧ユニット１９へ出力する。なお、前記ブレーキ液圧ユニット１９には、前左車輪ホイールシリンダ２０と、前右車輪ホイールシリンダ２１と、後左車輪ホイールシリンダ２２と、後右車輪ホイールシリンダ２３と、が接続されている。
【００２２】
前記統合コントローラ６は、車両全体の消費エネルギを管理し、最高効率で車両を走らせるための機能を担うもので、加速走行時等において、エンジンコントローラ１への制御指令によりエンジン動作点制御を行い、また、停止時や走行時や制動時等において、モータコントローラ２への制御指令によりモータジェネレータ動作点制御を行う。この統合コントローラ６には、各センサ７，８，９，１０，１１からのアクセル開度APと車速VSPとエンジン回転数Neと第１モータジェネレータ回転数N1と第２モータジェネレータ回転数N2とが入力される。そして、これらの入力情報に基づいて、所定の演算処理を実行し、その処理結果による制御指令をエンジンコントローラ１とモータコントローラ２へ出力する。なお、統合コントローラ６とエンジンコントローラ１、統合コントローラ６とモータコントローラ２、統合コントローラ６とブレーキコントローラ５は、情報交換のためにそれぞれ双方向通信線２４，２５，２６により接続されている。
【００２３】
次に、ヒルホールドブレーキ制御装置の構成を説明する。
実施例１のヒルホールドブレーキ制御装置は、図６に示すように、統合コントローラ６と、ブレーキコントローラ５と、ブレーキ液圧ユニット１９及び各ホイールシリンダ２０，２１，２２，２３を有するブレーキアクチュエータと、により構成される。
前記統合コントローラ６には、アクセル開度センサ７と車速センサ８からのセンサ信号を入力するトルク指令演算部６ａと、アクセル開度センサ７及び車速センサ８からのセンサ信号と、トルク指令演算部６ａからの演算結果を入力する登坂量推定演算部６ｂと、を有する。
前記ブレーキコントローラ５には、前記登坂量推定演算部６ｂからの演算結果と、ブレーキストロークセンサ１８からのセンサ信号を入力するヒルホールドトルク演算部５ａを有する。なお、前記トルク指令演算部６ａ、登坂量推定演算部６ｂ、ヒルホールドトルク演算部５ａでの演算処理内容については、図７に示すフローチャートにより詳述する。
【００２４】
次に、駆動力性能について説明する。
実施例１のハイブリッド車の駆動力は、図２(b)に示すように、エンジン直接駆動力（エンジン総駆動力から発電機駆動分を差し引いた駆動力）とモータ駆動力（両モータジェネレータMG1,MG2の総和による駆動力）との合計で示される。その最大駆動力の構成は、図２(a)に示すように、低い車速ほどモータ駆動力が多くを占める。このように、変速機を持たず、エンジンＥの直接駆動力と電気変換したモータ駆動力を加えて走行させることから、低速から高速まで、定常運転のパワーの少ない状態からアクセルペダル全開のフルパワーまで、ドライバの要求駆動力に対しシームレスに応答良く駆動力をコントロールすることができる（トルク・オン・デマンド）。
そして、実施例１のハイブリッド車では、動力分割機構TMを介し、エンジンＥと両モータジェネレータMG1,MG2と左右前輪（車輪）とがクラッチ無しで繋がっている。また、上記のように、エンジンパワーの大部分を発電機で電気エネルギに変換し、高出力かつ高応答のモータで車両を走らせている。このため、例えば、アイスバーン等の滑りやすい路面での走行時において、車輪のスリップやブレーキ時の車輪のロック等で車両の駆動力が急変する場合、過剰電流からのパワーコントロールユニット３の部品保護、あるいは、動力分割機構TMのピニオン過回転からの部品保護を行う必要がある。これに対し、高出力・高応答のモータ特性を活かし、部品保護の機能から発展させて、車輪の駆動スリップを瞬時に検出し、そのグリップを回復させ、車両を安全に走らせるためのモータトラクション制御を採用している。
【００２５】
次に、制動力性能について説明する。
実施例１のハイブリッド車では、エンジンブレーキやフットブレーキによる制動時には、モータとして作動している第２モータジェネレータMG2を、ジェネレータ（発電機）として作動させることにより、車両の運動エネルギを電気エネルギに変換してバッテリ４に回収し、再利用する回生ブレーキシステムを採用している。
この回生ブレーキシステムでの一般的な回生ブレーキ協調制御は、図３(a)に示すように、ブレーキペダル踏み込み量に対し要求制動力を算出し、要求制動力に大きさにかかわらず、算出された要求制動力を回生分と油圧分とで分担することで行われる。
これに対し、実施例１のハイブリッド車で採用している回生ブレーキ協調制御は、図３(b)に示すように、ブレーキペダル踏み込み量に対し要求制動力を算出し、算出された要求制動力に対し回生ブレーキを優先し、回生分で賄える限りは油圧分を用いることなく、最大限まで回生分の領域を拡大している。これにより、特に加減速を繰り返す走行パターンにおいて、エネルギ回収効率が高く、より低い車速まで回生制動によるエネルギの回収を実現している。
【００２６】
次に、車両モードについて説明する。
実施例１のハイブリッド車での車両モードとしては、図４の共線図に示すように、「停車モード」、「発進モード」、「エンジン始動モード」、「定常走行モード」、「加速モード」を有する。
「停車モード」では、図４(1)に示すように、エンジンＥと発電機MG1とモータMG2は止まっている。「発進モード」では、図４(2)に示すように、モータMG2のみの駆動で発進する。「エンジン始動モード」では、図４(3)に示すように、エンジンスタータとしての機能を持つ発電機MG1によって、サンギヤSが回ってエンジンＥを始動する。「定常走行モード」では、図４(4)に示すように、主にエンジンＥにて走行し、効率を高めるために発電を最小にする。「加速モード」では、図４(5)に示すように、エンジンＥの回転数を上げると共に、発電機MG1による発電を開始し、その電力とバッテリ４の電力を使ってモータMG2の駆動力を加え、加速する。
なお、後退走行は、図４(4)に示す「定常走行モード」において、エンジンＥの回転数上昇を抑えたままで、発電機MG1の回転数を上げると、モータMG2の回転数が負側に移行し、後退走行を達成することができる。
【００２７】
始動時は、イグニッションキーを回すとエンジンＥが始動し、エンジンＥを暖機した後、直ぐにエンジンＥは停止する。発進時や軽負荷時は、発進時やごく低速で走行する緩やかな坂を下るときなどは、エンジン効率の悪い領域は燃料をカットし、エンジンは停止してモータMG2により走行する。通常走行時は、エンジンＥの駆動力は、動力分割機構TMにより一方は車輪を直接駆動し、他方は発電機MG1を駆動し、モータMG2をアシストする。全開加速時は、バッテリ４からパワーが供給され、さらに、駆動力を追加する。減速時や制動時には、車輪がモータMG2を駆動し、発電機として作用することで回生発電を行う。回収した電気エネルギはバッテリ４に蓄えられる。バッテリ４の充電量が少なくなると、発電機MG1をエンジンＥにより駆動し、充電を開始する。車両停止時には、エアコン使用時やバッテリ充電時等を除き、エンジンＥを自動的に停止する。
【００２８】
次に、作用を説明する。
［ヒルホールドブレーキ制御処理］
図７は実施例１の統合コントローラ６及びブレーキコントローラ５にて実行されるヒルホールドブレーキ制御処理の流れを示すフローチャートで、以下、各ステップについて説明する（ヒルホールドブレーキ制御手段）。
【００２９】
ステップＳ１では、アクセル開度センサ７からのセンサ信号に基づき、アクセル開度を演算し、ステップＳ２へ移行する。
【００３０】
ステップＳ２では、ステップＳ１でのアクセル開度の演算に続き、車速センサ８からのセンサ信号に基づき、車速を演算し、ステップＳ３へ移行する。
ここで、車速情報については、車速演算に代え、各車輪速センサ１２，１３，１４，１５からのセンサ信号に基づき、車輪速を演算しても良い。
【００３１】
ステップＳ３では、ステップＳ２での車速演算に続き、アクセル開度情報と車速情報に基づき、トルク指令（ドライバ要求トルク）を演算し、ステップＳ４へ移行する。
ここで、「トルク指令（ドライバ要求トルク）」は、例えば、図示しない駆動力マップ（アクセル開度×車速×駆動トルク）を予め用意しておき、アクセル開度情報と車速情報から駆動力マップを検索してトルク指令を算出する。
【００３２】
ステップＳ４では、ステップＳ３でのトルク指令の演算に続き、トルク指令と車速とアクセル開度に基づいて登坂量を推定演算し、ステップＳ５へ移行する（路面勾配検出手段）。
ここで、「登坂量（＝路面勾配）」の推定は、トルク指令により推定される車速より低いか、高いかに応じて勾配を推定する。また、車両が停止時に後退する場合は、後退量（変化量）に応じて勾配を推定する。以上の処理は、統合コントローラ６にて行われる。
【００３３】
ステップＳ５では、ステップＳ４での登坂量推定演算に続き、ブレーキストロークセンサ１７からのセンサ信号に基づき、ブレーキストロークが演算される。
【００３４】
ステップＳ６では、ステップＳ５でのブレーキストロークの演算に続き、上記ステップＳ４にて推定された路面勾配値（＝登坂量）を入力し、ステップＳ７へ移行する。
【００３５】
ステップＳ７では、ステップＳ６での路面勾配値の入力に続き、路面勾配値に応じてヒルホールドトルクを算出し、ステップＳ８へ移行する。
ここで、「ヒルホールドトルク」とは、坂道にて車両停止を維持するトルクであり、図８に示すように、路面勾配値（％）が大きな値であるほどヒルホールドトルクは大きなトルクとなる。
【００３６】
ステップＳ８では、ステップＳ７でのヒルホールドトルクの算出に続き、路面勾配値に応じてフロント（駆動輪）制動力の応答性とリア（従動輪）制動力の応答性を決定し、ステップＳ９へ移行する。
ここで、「フロント制動力の応答性とリア制動力の応答性」は、図９に示すように、フロント制動力とリア制動力とを比べた場合には、フロント制動力の時定数を高い値とすることでリア制動力の応答性に比べフロント制動力の応答性を遅くしている。また、路面勾配値（％）に対するフロント制動力の低下応答性とリア制動力の低下応答性は、路面勾配値（％）が大きくなるほど共に時定数を低くすることで応答性を早めている。さらに、フロント制動力の低下応答性とリア制動力の低下応答性の差は、路面勾配値（％）が大きいほど低下応答性が大きくなる設定としている。
【００３７】
ステップＳ９では、ステップＳ８でのフロント制動力とリア制動力との応答性決定に続き、ブレーキ液圧ユニット１９に対し、決定した応答性によるフロントEBD液圧とリアEBD液圧を得るトルク指令を出力し、リターンへ移行する。
すなわち、坂道停止時であって、ヒルホールド制御の開始時には、図１０のEBD液圧特性に示すように、リアEBD液圧が目標液圧に達した後、フロントEBD液圧が応答遅れにより目標液圧に達するように指令されることになる。ここで、「ＥＢＤ(Electoric Brake force Distributionの略称)」とは、電子制御制動力分配システムのことをいい、ＡＢＳシステムを応用し、前輪制動力特性と後輪制動力特性を分けて制御できるようにしたものである。
【００３８】
［トラクション制御の背景技術について］
例えば、特開平１０−３０４５１４号公報には、スリップ初期にトルクダウン応答性を向上させる技術（角加速度制御）が開示されている。この手法は、主にハイブリッド車や電気自動車や燃料電池車等のように、駆動力を発生させるユニットとしてモータを用いた車両に適用されるケースが多い。この技術の基本は、駆動輪の回転角速度の変化率（角加速度）が所定値以上のときに駆動スリップが発生すると予測し、モータトルクを低下させる構成となっている。この構成とすることにより、モータトルクの増加に伴って生じる駆動スリップを防止することができる。
【００３９】
ここで、駆動力を発生させるユニットとしてモータを用いたハイブリッド車において、駆動スリップの発生初期に高応答性にてスリップを抑制する「角加速度制御」が必要な理由について説明する。
仮にモータトラクション制御装置が無くて駆動スリップした場合には、エンジンの発電が追いつかず、モータはバッテリからどんどん電流を持ち出す。よって、モータ駆動回路に過電流が発生し、回路上の素子等にダメージを与えることになる。例えば、実施例１のパワーコントロールユニット３において、図５の矢印に示すように、コンデンサ３ｅを介して過電流が流れると、ジョイントボックス３ａのヒューズや昇圧コンバータ３ｂのスイッチング回路がダメージを受けてしまう場合がある。しかも、ハイブリッド車や燃料電池車では、二次電池に対してモータ出力（モータ出力比）が大きければ大きいほど過電流が流れやすい。また、二次電池に対してエンジン、燃料電池の出力（エンジン出力比）が大きければ大きいほど過電圧、過電流が流れやすい。という関係がある。したがって、確実に部品保護を図るためには、滑ったらトルク制限をかけるという「角加速度制御」により駆動スリップを応答良く収束させるモータトラクション制御が必要となる。
【００４０】
しかしながら、従来の「角加速度制御」にあっては、駆動スリップが生じやすい低μ路における部品保護を優先し、駆動スリップの発生が予測されると大きなモータトルクダウン量を与える構成としていた。
【００４１】
一方、例えば、特開平１０−１８１５７５号公報には、坂道に停止して運転者がブレーキペダルからアクセルペダルに足を踏み替えた際に、ホイールシリンダにおける制動圧を維持させて車両が後退するのを防止する、いわゆるヒルホールドブレーキ制御を実行するブレーキ制御装置が知られている。このようなブレーキ制御装置においては、上記公報に記載されているように、既存のＡＢＳ制御を実行可能なブレーキ回路のソレノイドバルブを閉じることによって、マスタシリンダの液圧をホイールシリンダに封じ込めるようにすることで達成可能である。そして、このヒルホールド制御を実行するにあたっては、例えば、ブレーキペダルの踏み替えに伴いマスタシリンダ液圧が予め設定したヒルホールド開始判断しきい値を下回ったことを検出したら、これを開始条件として、ヒルホールド制御を実行していた。すなわち、マスタシリンダ液圧がヒルホールド開始判断しきい値を下回った時点で、ソレノイドバルブを閉じることにより、ヒルホールド開始判断しきい値より僅かに低い液圧をホイールシリンダに閉じ込めることにより、車両を停止させるのに必要な制動圧をホイールシリンダに閉じ込めることが可能である。
【００４２】
そこで、「角加速度制御」によるモータトラクション制御システムとヒルホールドブレーキ制御システムとが共に搭載されたハイブリッド車を想定すると、従来のヒルホールドブレーキ制御では、前後輪の制動力配分が検討されておらず、前後輪の制動力を解除する坂道発進時、駆動輪制動力も従動輪制動力も同時に解除されるものである。
【００４３】
したがって、駆動輪制動力と従動輪制動力とが早期に同時に解除されると、駆動輪がスリップアップし、「角加速度制御（モータトラクション制御）」が開始されると、モータトルクの低下により、発進性能や登坂能力が低下してしまう。特に、急激に駆動輪の液圧をリリースしたシーンにおいては、駆動輪のスリップアップを誘発するため、強電ユニットでの電圧上昇の問題や単相に過電流が流れ込んだりして、システムに大きなダメージを与える可能性がある。
【００４４】
また、駆動輪制動力と従動輪制動力とがゆっくりと同時に解除されると、引きずり抵抗が大き過ぎて、車両を進ませようとする駆動力に対して引きずり抵抗により、前後加速度の変動が発生し、ガクガクした発進となってしまう。
【００４５】
［ヒルホールドブレーキ制御作用］
実施例１では、前後輪のヒルホールド制動力を解除する坂道発進時、駆動輪制動力を従動輪制動力よりも遅く解除することで、発進性能や登坂能力を向上し、シームレスな発進を実現するようにした。
【００４６】
すなわち、坂道走行時や坂道停止時になると、図７のフローチャートにおいて、ステップＳ１→ステップＳ２→ステップＳ３→ステップＳ４→ステップＳ５→ステップＳ６→ステップＳ７→ステップＳ８へと進む流れとなり、ステップＳ８において、路面勾配値に応じてフロント制動力の応答性とリア制動力の応答性が決定され、次のステップＳ９において、坂道停止時でヒルホール制御の開始条件が成立する場合、または、坂道停止からの発進時でヒルホール制御の解除条件が成立する場合には、ステップＳ８で決められた応答性（時定数）により、フロント液圧とリア液圧とが制御される。
【００４７】
つまり、ステップＳ８では、フロント制動力の応答性をリア制動力の応答性より遅くするように時定数が決定されるため（図９）、坂道停止時でヒルホール制御の開始条件が成立する場合には、図１１に示すように、t0の時点からリア液圧は急な勾配にて上昇し、t1の時点で調圧目標値に達する。一方、フロント液圧は、t0の時点から緩やかな勾配にて上昇し、t1の時点より遅れたt2の時点で調圧目標値に達する。
【００４８】
また、坂道停止からの発進時でヒルホール制御の解除条件が成立する場合には、図１１に示すように、リア液圧はt2の時点から急な勾配にて下降し、t3の時点でゼロ液圧に達する。一方、フロント液圧は、t2の時点から緩やかな勾配にて下降し、t3の時点より遅れたt4の時点でゼロ液圧に達する。
【００４９】
したがって、図１２に示すように、遅く制動力が解除される前輪側（駆動輪側）では、フロント液圧が残ることによるヒルホールド性を保ちつつ、かつ、早く制動力が解除される後輪側（従動輪側）ではリア液圧が早期に排除されることにより引き摺り抵抗を減らすという作用を示す。
言い換えると、フロント・リア共に液圧を高応答で排除する場合のように、モータトルクの低下を招く前輪側でのスリップ発生が解消されるし、逆に、フロント・リア共に液圧を応答遅れで排除する場合のように、大きな引き摺り抵抗発生が解消される。
【００５０】
以上説明したように、実施例１では、前後輪のヒルホールド制動力を解除する坂道発進時、発進性能や登坂能力を向上し、シームレスな発進を実現することができる。
加えて、フロント制動力の低下応答性を遅くすることでゆっくりと前輪（駆動輪）の液圧をリリースするようにしているため、前輪の急激な車輪速変化が有効に抑制され、強電ユニットであるパワーコントロールユニット３での電圧上昇や単相に過電流が流れ込んだりして、システムに大きなダメージを与えることを確実に防止することができる。
【００５１】
次に、効果を説明する。
実施例１の車両のヒルホールド制動力制御装置にあっては、下記に列挙する効果を得ることができる。
【００５２】
(1) 車輪を駆動する動力源に装備された少なくとも１つのモータと、車輪の駆動スリップ検出時にモータトルクダウン制御により車輪のグリップを回復させるモータトラクション制御手段と、坂道停止時に前後輪の制動力を維持することで車両が後退するのを防止するヒルホールド制動力制御手段と、を備えた車両のヒルホールド制動力制御装置において、前記ヒルホールド制動力制御手段は、前後輪の制動力を解除する坂道発進時、駆動輪制動力を従動輪制動力より遅く解除するため、前後輪のヒルホールド制動力を解除する坂道発進時、発進性能や登坂能力を向上し、シームレスな発進を実現することができる。
【００５３】
(2) 前記ヒルホールド制動力制御手段は、前後輪の制動力を解除する坂道発進時、駆動輪制動力の低下応答性を従動輪制動力の低下応答性より遅くするため、パワーコントロールユニット３での電圧上昇や単相に過電流が流れ込んだりして、システムに大きなダメージを与えることを確実に防止することができる。
【００５４】
(3) 停止している坂道の路面勾配を検出する路面勾配検出手段（ステップＳ４）を設け、前記ヒルホールド制動力制御手段は、路面勾配が大きいほど、駆動輪制動力の低下応答性と従動輪制動力の低下応答性を共に早くするため、発進時に路面勾配が大きいほど駆動力を応答良く高めることに対応した制動力低下特性となり、坂道の路面勾配の大小にかかわらず、発進性能や登坂能力を向上させることができる。
【００５５】
(4) 前記ヒルホールド制動力制御手段は、路面勾配が大きいほど、駆動輪制動力の低下応答性と従動輪制動力の低下応答性との差を大きくするため、発進時に路面勾配が大きいほどヒルホールド性を保っておく必要があるのに対応した制動力低下特性となり、坂道の路面勾配の大小にかかわらず、シームレスな発進を実現することができる。
【００５６】
(5) 前記モータトラクション制御手段は、駆動輪またはモータの角加速度を検出し、角加速度が設定角加速度を超えたらモータトルクダウン制御により車輪のグリップを回復させる「角加速度制御」を行うため、坂道発進時、トルクダウンの速度が速く、かつ、トルクダウン量が大きい部品保護の「角加速度制御」に入ることによる車両のずり下がり可能性を確実に防止することができる。
【００５７】
以上、本発明の車両のヒルホールド制動力制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００５８】
実施例１では、モータトラクション制御として「角加速度制御」のみを実行する例を示したが、「角加速度制御」と「スリップ量制御」とを組み合わせたモータトラクション制御を実行するものにも勿論適用できる。
【００５９】
実施例１では、ヒルホールド制動力制御手段として、前後輪の制動力を解除する坂道発進時、駆動輪制動力の低下応答性と従動輪制動力の低下応答性とを異ならせる好ましい例を示したが、要するに、前後輪の制動力を解除する坂道発進時、駆動輪制動力を従動輪制動力より遅く解除するものであれば、解除タイミング制御等によるものであっても含まれる。
【産業上の利用可能性】
【００６０】
実施例１では、１つのエンジンと２つのモータジェネレータと動力分割機構を備えたハイブリッド車への適用例を示したが、本発明のヒルホールド制動力制御装置は、他のパワーユニット構造を備えたハイブリッド車や電気自動車や燃料電池車やモータ４ＷＤ車等、要するに、車輪を駆動する動力源に少なくとも１つのモータが装備された車両であれば適用することができる。
【図面の簡単な説明】
【００６１】
【図１】実施例１のヒルホールド制動力制御装置が適用されたハイブリッド車を示す全体システム図である。
【図２】実施例１のヒルホールド制動力制御装置が適用されたハイブリッド車における駆動力性能特性図と駆動力概念図である。
【図３】実施例１のヒルホールド制動力制御装置が適用されたハイブリッド車における回生協調による制動力性能をあらわす対比特性図である。
【図４】実施例１のヒルホールド制動力制御装置が適用されたハイブリッド車における各車両モードを示す共線図である。
【図５】実施例１のハイブリッド車の強電ユニット（バッテリ・パワーコントロールユニット・第１モータジェネレータ・第２モータジェネレータ）を示すブロック図である。
【図６】実施例１のヒルホールドブレーキ制御装置の構成を示す制御ブロック図である。
【図７】実施例１の統合コントローラ及びブレーキコントローラにて実行されるヒルホールド制動力制御処理の流れを示すフローチャートである。
【図８】実施例１でのヒルホールドブレーキ制御で演算される勾配に対するヒルホールドトルク特性の一例を示す図である。
【図９】実施例１でのヒルホールドブレーキ制御で演算される勾配に対する駆動輪と従動輪の時定数特性の一例を示す図である。
【図１０】実施例１でのヒルホールドブレーキ制御におけるヒルホールドブレーキ制御開始時の目標液圧・リアEBD液圧・フロントEBD液圧の上昇特性を示す図である。
【図１１】実施例１でのヒルホールドブレーキ制御におけるヒルホールドブレーキ制御開始からヒルホールドブレーキ制御解除までの調圧目標値・リア液圧・フロント液圧の各特性を示す図である。
【図１２】実施例１でのヒルホールドブレーキ制御を実行する車両での発進時におけるヒルホールド性を保つ状態を示す作用説明図である。
【符号の説明】
【００６２】
Ｅ  エンジン
MG1  第１モータジェネレータ
MG2  第２モータジェネレータ（モータ）
OS  出力スプロケット
TM  動力分割機構
１  エンジンコントローラ
２  モータコントローラ
３  パワーコントロールユニット
４  バッテリ
５  ブレーキコントローラ
６  統合コントローラ
７  アクセル開度センサ
８  車速センサ
９  エンジン回転数センサ
１０  第１モータジェネレータ回転数センサ
１１  第２モータジェネレータ回転数センサ
１２  前左車輪速センサ
１３  前右車輪速センサ
１４  後左車輪速センサ
１５  後右車輪速センサ
１６  操舵角センサ
１７  マスタシリンダ圧センサ
１８  ブレーキストロークセンサ
１９  ブレーキ液圧ユニット
２０  前左車輪ホイールシリンダ
２１  前右車輪ホイールシリンダ
２２  後左車輪ホイールシリンダ
２３  後右車輪ホイールシリンダ
【図１】
2006142902.tif 000003
【図２】
2006142902.tif 000004
【図３】
2006142902.tif 000005
【図４】
2006142902.tif 000006
【図５】
2006142902.tif 000007
【図６】
2006142902.tif 000008
【図７】
2006142902.tif 000009
【図８】
2006142902.tif 000010
【図９】
2006142902.tif 000011
【図１０】
2006142902.tif 000012
【図１１】
2006142902.tif 000013
【図１２】
2006142902.tif 000014